(57)【要約】【課題】映像再生装置により映し出されている映像に関連した情報をインターネット上の特定の情報サイトから取り寄せる行為を、その映像を見ている人が所持しているパーソナル携帯情報端末を使って実行するのに、利用者にほとんど負担をかけないようにする。【解決手段】デジタル蓄積メディアまたはデジタル通信メディアにより与えられる映像データを表示する映像再生装置であって、自身が主局となって従局となる近辺に存在するパーソナル携帯情報端末と所定のプロトコルに従って無線通信するための近距離無線通信手段と、表示処理する映像データに付帯して所定のデータ構造でＵＲＬが記述されている場合、そのＵＲＬを前記パーソナル携帯情報端末にハイパーリンク形式で伝達するための電文を前記近距離無線通信手段により発信するＵＲＬ通知手段とを備える。【選択図】  図１
2005210737.tif 000002
【特許請求の範囲】
【請求項１】
デジタル蓄積メディアまたはデジタル通信メディアにより与えられる映像データを表示する映像再生装置であって、自身が主局となって従局となる近辺に存在するパーソナル携帯情報端末と所定のプロトコルに従って無線通信するための近距離無線通信手段と、表示処理する映像データに付帯して所定のデータ構造でＵＲＬが記述されている場合、そのＵＲＬを前記パーソナル携帯情報端末にハイパーリンク形式で伝達するための電文を前記近距離無線通信手段により発信するＵＲＬ通知手段とを備えたことを特徴とする近辺にＵＲＬを無線通知する映像再生装置。
【請求項２】
請求項１に記載の映像再生装置が取り扱う前記デジタル蓄積メディアであって、映像データに付帯して所定のデータ構造でＵＲＬが記述されていることを特徴とする映像記録媒体。
【発明の詳細な説明】
【技術分野】
【０００１】
この発明は、デジタル蓄積メディアまたはデジタル通信メディアにより与えられる映像データを表示する映像再生装置に関し、とくに、表示される映像に関連した情報を提供しているサイトのＵＲＬを近辺に無線通知する装置に関する。
【背景技術】
【０００２】
我が国ではインターネットに接続できる携帯電話サービス（ＰＨＳも含む）の利便性・有用性が多くの人々に支持され、一般社会に急速に普及しつつある。これにより人々のコミュニケーションのありさまに激変がもたらされ、また企業や団体の広告活動とか広報活動に従来あり得なかったさまざまな新手法が採り入れられている。
【０００３】
インターネット上には携帯電話機の利用者向けにさまざまな情報を提供する多数のサイトが運営されている。利用者がブラウザ付き携帯電話機を操作して任意の情報提供サイトにアクセスすると、サイトに用意されている情報が携帯電話機に送達される。この情報は、典型的にはマークアップ言語で記述されたハイパーテキスト形式の文書情報である。この情報がブラウザによって解釈処理されて携帯電話機の液晶表示器に文書の体裁で表示される。この文書を表示している状態において、ハイパーテキストの仕組みでさまざまな情報通信処理機能を利用できる。最近では、情報提供サイトから携帯電話機にＪａｖａプログラムなどを送達し、このプログラムなどを携帯電話機で解釈実行することで、電子商取引やネットワークゲームなどの大規模で複雑で高度な情報通信処理を行う応用も現実的になってきた。音楽や画像などのデジタルコンテンツを携帯電話機に提供するサービスも増えている。
【０００４】
一方で、このような携帯電話機向けの情報提供サービスに関し、実に単純なことだけれども実用的には重要な問題点が明らかになった。それは、希望の情報提供サイトを特定するためのアドレス（ＵＲＬ）の文字記号列を携帯電話機のキーボードから入力することがきわめて面倒くさいということである。
【０００５】
たとえば、電車の中の吊り広告にＵＲＬを掲載しておき、これを見た人が携帯電話機で自社サイトにアクセスしてくれることを期待することは、多くの場合うらぎられるであろう。電車内の広告に掲示されたＵＲＬを携帯電話機で入力することは面倒であり、多くの人に気軽にやってもらえることではない。
【０００６】
ブラウザ付き携帯電話機にはブックマーク機能が用意されており、利用者が頻繁にアクセスする情報提供サイトを登録しておけば、それら登録サイトに簡単にアクセスできるようになっている。しかし、これは携帯電話機にいちど取り込んだＵＲＬにあとでアクセスしようと思った場合に有効な機能であって、初めてのＵＲＬ入力が簡便に行えるわけではない。
【０００７】
携帯電話機でのＵＲＬ入力の面倒くささを改善するために、いくつかの対策が案出され、実用化されているものもある。たとえば、携帯電話機にバーコードリーダーを組み込んでおき、バーコード化されたＵＲＬを読み取る方法がある。また、短縮番号照会サーバーを経由することで、長いＵＲＬに割り当てられた短縮番号を入力するだけで希望のサイトにつながるサービスがある。
【発明の開示】
【発明が解決しようとする課題】
【０００８】
出願人らは、たとえばカラオケ装置に付属の映像再生装置において、カラオケ演奏のあいまに広告映像を流した上で、その広告に関連した情報を提供しているインターネット上の情報サイトに利用者を誘導したいと考え、本発明をなしたものである。
【課題を解決するための手段】
【０００９】
上記目的を達成するため、この発明では、デジタル蓄積メディアまたはデジタル通信メディアにより与えられる映像データを表示する映像再生装置において、自身が主局となって従局となる近辺に存在するパーソナル携帯情報端末と所定のプロトコルに従って無線通信するための近距離無線通信手段と、表示処理する映像データに付帯して所定のデータ構造でＵＲＬが記述されている場合、そのＵＲＬを前記パーソナル携帯情報端末にハイパーリンク形式で伝達するための電文を前記近距離無線通信手段により発信するＵＲＬ通知手段とを設けたことを特徴とする。
【００１０】
また第２の発明は、前記のように構成された映像再生装置が取り扱う前記デジタル蓄積メディアであって、映像データに付帯して所定のデータ構造でＵＲＬが記述されていることを特徴とする映像記録媒体である。
【発明の効果】
【００１１】
この発明によれば、映像再生装置により映し出されている映像に関連した情報をインターネット上の特定の情報サイトから取り寄せる行為を、その映像を見ている人が所持しているパーソナル携帯情報端末を使って実行するのに、利用者にほとんど負担をかけずにすむ。そのため、映像を見た利用者がおっくうがらずに情報サイトにアクセスしてくれるようになり、アクセス数を増やしたい情報提供者の期待がかなえられる。
【発明を実施するための最良の形態】
【００１２】
＝＝＝実施例としてのカラオケ演奏装置＝＝＝
以下では、いわゆるカラオケボックスとかカラオケバーなどと呼ばれるカラオケ店で運用されているカラオケ演奏装置をとりあげ、それに付属の映像再生装置に本発明を適用した実施例について説明する。
【００１３】
図１はこの発明を適用したカラオケ演奏装置の構成例を示している。よく知られているように、カラオケ演奏装置は、パソコン相当のコンピュータ応用機器であって、中央処理装置１がＣＰＵ・ＲＯＭ・ＲＡＭを含んだコンピュータ本体であり、大容量の外部記憶であるハードディスク装置２と、加入電話回線またはＩＳＤＮ回線を介してカラオケホスト装置と通信する通信制御装置３と、利用者からの入力情報を受け付けるとともに利用者に向けて案内情報や応答情報を提示する利用者インタフェース装置４と、ＭＩＤＩデータを主体にした音楽演奏データに基づいて伴奏音楽の音響信号を生成する音楽生成装置５と、伴奏音楽やマイクロホンからの音響信号を増幅してスピーカーから発音する音響装置６と、ＣＲＴやＬＣＤあるいはＰＤＰなどを用いた映像表示装置７と、この映像表示装置７に表示すべき画像データを処理する画像処理装置８と、各種の映像データが収録されたＣＤ−ＲＯＭやＤＶＤ−ＲＯＭをディスクチェンジャに装填しておいて適宜に再生する光ディスク装置９と、中央処理装置１に制御下で近辺のパーソナル携帯情報端末（図示していない）と無線通信するブルートゥース通信装置１０とを備えている。
【００１４】
中央処理装置１は、適宜な記憶部に演奏予約の待ち行列を作成してカラオケ楽曲の演奏順番を管理し、その待ち行列から登録順に楽曲番号を取り出し、ハードディスク装置２のカラオケ楽曲データベースから該当するカラオケ楽曲データを取り出して処理する。１つの楽曲番号に対応する１曲分のカラオケ楽曲データは、ＭＩＤＩデータやＡＤＰＣＭデータなどで表現されたカラオケ伴奏音楽の起源となる音楽演奏データと、伴奏音楽に同期した歌詞字幕を表示するための歌詞字幕データと、伴奏音楽の出力期間に前記歌詞字幕の背景として表示すべき映像データを直接または間接に指定する映像指定データと、当該楽曲のタイトルやアーチストや著作者を字幕表示するための楽曲説明字幕データなどが対応づけされたデータ群である。また、ハードディスク装置２と光ディスク装置９を記憶資源として、カラオケ背景として表示される映像データベースも構築されており、中央処理装置１はカラオケ楽曲データ処理の一環として前記映像指定データに基づいて映像データベースから適宜な映像データを取り出して画像処理装置８に受け渡し、歌詞字幕とともに映像表示装置７により表示する。
【００１５】
＝＝＝映像番組の表示＝＝＝
カラオケ演奏装置においては、カラオケ演奏時に歌詞字幕と組み合わせて適宜な映像番組を表示することに加えて、リクエスト曲がない場合には適宜に選定される映像番組を映像表示装置７にて表示するし、またリクエスト曲があっても楽曲番号とは違うサブコンテンツ番号を前記待ち行列に自動的または手動で登録しておき、そのサブコンテンツ番号に順番がまわってくると該当する映像番組を映像表示装置７にて表示する。
【００１６】
これらいずれの映像表示モードにおいても本発明を適用することができる。この実施例においては、光ディスク装置９のチェンジャにつぎのような映像データを収録したＤＶＤ−ＲＯＭタイトル「通信販売ガイド」が存在する。このＤＶＤ−ＲＯＭタイトルには、通信カラオケプロバイダーと提携しているいくつかの通販業者の取扱商品を適宜に分類整理してカラオケ利用者に向けて紹介し、購買を促し、購入方法を案内するための映像番組がいくつかの番組に分けて収録されている。もちろんその映像番組には音声が付いていてもよい。
【００１７】
ＤＶＤ−ＲＯＭタイトル「通信販売ガイド」に収録されている各番組の映像データには、所定のフォーマットで記述されたＵＲＬ通知データが所定のデータ構造で多重化されている。このＵＲＬ通知データは、(1)商品番号、(2)商品名、(3)ＵＲＬのデータセットを１フレームとするものであり、ＤＶＤ−ＲＯＭの映像番組中である商品を紹介している期間中やその前後において時間的にこれに重なるように、当該商品に関わる(1)商品番号と(2)商品名と(3)ＵＲＬのデータセットが多重化されている。
【００１８】
＝＝＝ブルートゥースによるピコネット＝＝＝
カラオケ演奏装置に備えられたブルートゥース通信装置１０は、カラオケを利用しているお客さんが所持しているブルートゥース通信機能付き携帯電話機を主な相手と想定して、自らが主局となってときどき呼び出しをかけ、応答した携帯電話機を従局とするピコネットのリンクを確立する。そしてブルートゥース通信装置１０は、ＤＶＤ−ＲＯＭタイトル「通信販売ガイド」に関連したＵＲＬ通知を受け取るためのプログラムが各従局（携帯電話機）にインストールされているか否かを調査し、インストールされていない従局に対してはそのプログラムを送達する。
【００１９】
カラオケ演奏装置の中央処理装置１は、前述したような機会にＤＶＤ−ＲＯＭタイトル「通信販売ガイド」に収録されている適当な映像番組を選んで光ディスク装置９で再生して映像表示装置７にて表示する。そのとき同時に中央処理装置１は、表示処理している映像データに前記ＵＲＬ通知データ（(1)商品番号と(2)商品名と(3)ＵＲＬのデータセット）が多重化されているか否かを随時チェックしており、ＵＲＬ通知データが現れたら、そのデータをブルートゥース通信装置１０に受け渡す。これを受けてブルートゥース通信装置１０は、ピコネットのリンクを確立している各従局（携帯電話機）に向けて(1)商品番号と(2)商品名と(3)ＵＲＬのデータセットを通達するための通信を行う。
【００２０】
これによって、映像表示装置７で映し出されている「通信販売ガイド」の映像番組中である商品を紹介しているとき、それを見ている人の携帯電話機にその商品に関わる(1)商品番号と(2)商品名と(3)ＵＲＬが通知されてきて、その携帯電話機に一時保存されるとともに表示器に表示される。とくに携帯電話機に表示されたＵＲＬはハイパーリンク形式のデータであり、利用者が表示上のＵＲＬをクリックすると、その携帯電話機のインターネット接続機能が働きだし、インターネット上の前記ＵＲＬで特定される情報サイトに向けてリクエストが発信され、そのリクエストに対するレスポンスが前記情報サイトから送られてきて、その携帯電話機に取り込まれて表示される。
【００２１】
このときインターネット上の情報サイトからカラオケ店の利用者の携帯電話機に送られてくるＷeb情報は、カラオケ演奏装置の映像表示装置７でさっき映し出されていた「通信販売ガイド」で紹介されていた商品についての情報であり、その商品の詳細な説明や、その商品の購入方法などを説明するものである。
【００２２】
以上では、ＵＲＬ通知データを多重化した映像データがＤＶＤ−ＲＯＭに収録されていて、その映像データを再生するときにＵＲＬ通知を行うとした。この発明はこの実施例に限定されるものではなく、そのような映像データがデジタル通信メディアやデジタル放送メディアを通じて映像再生装置に与えられる場合にも前記と同様に本発明を適用することができる。
【図面の簡単な説明】
【００２３】
【図１】この発明を適用したカラオケ演奏端末の概略構成図である。
【符号の説明】
【００２４】
１  中央処理装置
２  ハードディスク装置
３  通信制御装置
４  利用者インタフェース装置
５  音楽生成装置
６  音響装置
７  映像表示装置
８  画像処理装置
９  光ディスク装置
１０  ブルートゥース通信装置
【図１】
2005210737.tif 000003